(57)【要約】【課題】  浄水剤の使用利便性を高め、カルシウムイオンの添加を調節することができるカルシウムイオン添加用の浄水機構及び該浄水機構を備えた水飲み装置を提供する。【解決手段】  カルシウムイオン添加手段（５５）は、それぞれが直筒状をしたプレ添加部（５５１）とポスト添加部（５５２）とを備えており、開閉により水の連通／遮断を制御するように構成されている制御弁（５６２）を介して、ポストフィルタ部（５２）のフィルタ素子（５２２）と合流機構（５４）との間に、フィルタ素子（５２２）の出口側配管（５６）の第１の下流部分（５６１）及び該第１の下流部分（５６１）よりも下流である第２の下流部分（５６４）の間に並列に接続されている。【選択図】図３
0003123184.tif 000002
【実用新案登録請求の範囲】
【請求項１】
原水をそれぞれが配管を介して接続しているフィルタ手段（４０、５２）とカルシウムイオン添加手段（５５）と合流手段（５４）とを通過させる構成をし、且つ、
前記フィルタ手段（４０、５２）は、原水内の固形粒子をろ過すると共に活性化し、
前記カルシウムイオン添加手段（５５）は、カルシウムイオン含有の粒剤が詰められており、開閉動作により水の連通／遮断を制御するように構成されている制御弁（５６２）を介して前記フィルタ手段（４０、５２）と前記合流手段（５４）との間に前記フィルタ手段（５２）の出口側配管（５６）の第１の下流部分（５６１）及び該第１の下流部分（５６１）よりも下方である第２の下流部分（５６４）の間に並列に接続され、
前記合流手段（５４）は、前記フィルタ手段の出口側配管（５６）の前記第２の下流部分（５６４）よりも下流側に設けられている
ことを特徴とする浄水機構。
【請求項２】
前記フィルタ手段は、前記原水の固形粒子をろ過するプレフィルタ部（４０）と前記プレフィルタ部（４０）によってろ過された原水を活性化させるポストフィルタ部（５２）を備えており、
前記カルシウムイオン添加手段（５５）は、プレ添加部（５５１）とポスト添加部（５５２）とを備えていることを特徴とする請求項１に記載の浄水機構。
【請求項３】
前記ポストフィルタ部（５２）と前記カルシウムイオン添加手段（５５）と前記合流手段（５４）とは一箇所に集まってユニット化されていることを特徴とする請求項２に記載の浄水機構。
【請求項４】
前記プレフィルタ部（４０）は、繊維ろ過材を用いる第１（４１）のフィルタ素子（４１）と、ＫＤＦろ過材を用いる第２のフィルタ素子（４２）と活性炭を充填した第３のフィルタ素子（４３）とを備えており、
前記ポストフィルタ部（５２）は、前記第３のフィルタ素子の出口側に接続されておりスポンジが配置された第４のフィルタ素子（５２１）と、前記第４のフィルタ素子（５２１）の出口側に接続されており活性炭と遠赤外線セラミックスとが積層された第５のフィルタ素子（５２２）とを備えていることを特徴とする請求項２又は３に記載の浄水機構。
【請求項５】
前記合流手段（５４）内には不規則形状を有している活性炭が充填され、この活性炭の不規則形状により形成した不規則連通路が多数形成されていることを特徴とする請求項１ないし４のいずれかの項に記載の浄水機構。
【請求項６】
前記合流手段（５４）内には、炭酸カルシウムを主体として焼結された冷間セラミック粒子からなる粒剤が充填されていることを特徴とする請求項５に記載の浄水機構。
【請求項７】
原水を一旦溜める原水タンク（２０）と、請求項１ないし６のいずれかの項に記載の浄水機構と、前記原水タンクの出口側と前記フィルタ手段の入口側との間に接続されて前記フィルタ手段へ原水を汲み込むためのポンプ（３０）と、前記合流手段の出口側に設けられていて浄水を一旦溜める浄水タンク（６０）と、前記浄水タンクの出口側に設けられ前記浄水を注出するように構成されている抽出手段（７０）とを集めて機台内に取付けてなることを特徴とする水飲み装置。
【考案の詳細な説明】
【技術分野】
【０００１】
本考案は、浄水機構及び該浄水機構を備えた水飲み装置に関し、特にカルシウムイオンを添加することができる浄水機構及び該浄水機構を備えた水飲み装置に関する。
【背景技術】
【０００２】
最近では、工場排水、農業廃水、生活用水によって原水の汚染が進んでいるため、浄水を製造する際には、これら排水から混入する各種の汚染物質を除去することが必要になり、凝集処理や、沈殿処理、ろ過処理を経て濁質成分を除去し、さらに塩素殺菌処理を行って浄水が生成されているが、塩素残留による臭みが問題になる。
【０００３】
また、カルシウムイオン含有水が人体に良いということが他の研究報告によりすでに広く知られており、例えば珊瑚石などの鉱石を基材として電気分解法、焼結法などにより、下式に示すように、多量のカルシウム、ナトリウム、カリウムなどのイオンを多量生成して浄水の塩酸成分を中和することができる。
ＣａＣＯ3＋２ＨＣｌ→Ｃａ2+＋２Ｃｌ-＋ＣＯ2↑＋Ｈ2Ｏ
台湾特許公告第２７３５４０号公報には、９９．５％〜９０％のＣａＣＯ3と０．５％〜１０％のＣａＯからなる主成分を有し、ＣａＯがＣａＣＯ3の表面に付着した浄水剤を用いた浄水機が開示され、その浄水剤を水に溶かすことにより、ｐＨ値がほどよく調整され、酸性成分を中和改質するほか、水の塩素臭も除去されるが、浄水剤の効果の持続具合が分かり難く、たびたびチェックしなければならず、使用上不便である。
【０００４】
また、台湾特許公開第２００５３０１３０号公報には、珊瑚砂、貝がらなどの原料を高温焼成し、細かく研磨して１００ｎｍ以下の粉末にした後、こね合流手法により粒度均一な粒状の浄水ろ過材が開示されており、ナノメートルレベルの粉末粒子の吸着力によって、ろ過材の使用耐久性を高めようとしている。
【０００５】
しかしながら、このような浄水剤だけを用いると、沈殿状のＳＯ4-2イオンが生成し、且つ浄水剤にはカルシウムイオンが含まれているため、水が苦く、渋味、臭みが感じられ、また、粉末が凝結しやすく、浸透性が落ち、作用するのに時間がかかり、浄水が効率的に得られない。
【考案の開示】
【考案が解決しようとする課題】
【０００６】
本考案は、上記問題点に鑑みてなされたものであり、浄水剤の使用利便性を高め、カルシウムイオンの添加を調節することができるカルシウムイオン添加用の浄水機構及び該浄水機構を備えた水飲み装置を提供することを目的とする。
【課題を解決するための手段】
【０００７】
上記目的を達成すべく、本考案は、原水をそれぞれが配管を介して接続しているフィルタ手段とカルシウムイオン添加手段と合流手段とを通過させる構成をし、且つ、前記フィルタ手段は、原水内の固形粒子をろ過すると共に活性化し、前記カルシウムイオン添加手段は、カルシウムイオン含有の粒剤が詰められており、開閉動作により水の連通／遮断を制御するように構成されている制御弁を介して前記フィルタ手段と前記合流手段との間に前記フィルタ手段の出口側配管の第１の下流部分及び該第１の下流部分よりも下方である第２の下流部分の間に並列に接続され、前記合流手段は、前記フィルタ手段の出口側配管の前記第２の下流部分よりも下流側に設けられ、前記フィルタ手段からの水及び前記カルシウムイオン添加手段からの水を混ぜ合わせて溜める構成とする浄水機構を提供する。
【０００８】
前記構成においては、前記フィルタ手段には、前記原水の固形粒子をろ過するプレフィルタ部と前記プレフィルタ部によってろ過された原水を活性炭素繊維などによるろ過材で活性化させるポストフィルタ部とを備えており、前記カルシウムイオン添加手段には、プレ添加部とポスト添加部とを備えていることが好ましい。
【０００９】
また、前記構成においては、前記ポストフィルタ部と前記カルシウムイオン添加手段と前記合流手段とは一箇所に集まってユニット化されている構成とすることが好ましい。
【００１０】
また、前記構成においては、前記プレフィルタ部は、繊維ろ過材を用いる第１のフィルタ素子と、ＫＤＦろ過材を用いる第２のフィルタ素子と活性炭を充填した第３のフィルタ素子とを備えており、前記ポストフィルタ部は、前記第３のフィルタ素子の出口側に接続されておりスポンジが配置されている第４のフィルタ素子と、前記第４のフィルタ素子の出口側に接続されており活性炭と遠赤外線セラミックスとが積層されている第５のフィルタ素子とを備えていることが好ましい。
【００１１】
また、前記合流手段内には不規則形状を有している活性炭が充填され、この活性炭の不規則形状により形成した不規則連通路が多数形成されていることが好ましい。
【００１２】
また、前記合流手段内には、例えば炭酸カルシウムを主体として焼結された冷間セラミック粒子からなる粒剤が充填されていることが好ましい。
【００１３】
また、本考案の水飲み装置は、原水を一旦溜める原水タンクと、前記構成を備えた浄水機構と、前記原水タンクの出口側と前記フィルタ手段の入口側との間に接続されており、前記フィルタ手段へ原水を汲み込むためのポンプと、前記合流手段の出口側に設けられており前記混ぜ合った浄水を一旦溜める浄水タンクと、前記浄水タンクの出口側に設けられており前記浄水を注出するように構成されている注出手段とを集めて機台内に取付けている構成とする。
【考案の効果】
【００１４】
以上の構成により、原水をプレフィルタ部にて粗めの固形物をろ過し、ポストフィルタ部により微細な雑質を除去すると共に水分子を活性化して水のｐＨ値をほどよく調整することで、おいしい浄水が得られる。また、浄水タンクによって水を溜めることができるので、飲用するとき、タンクからそのまま供給することができ、利便性を高めることができる。
【考案を実施するための最良の形態】
【００１５】
以下、図面を参考して本考案のカルシウムイオンを添加する浄水機構及び水飲み装置を説明する。
【００１６】
図１は、本考案にかかる浄水機構を備えた水飲み装置の外観正面図、図２は、同装置の原水から浄水への処理過程の概略を示しているブロック図、図３は、同浄水機構におけるユニット化されたポストフィルタ部５２とカルシウムイオン添加手段５５と合流手段５４の配置の概略を示している図、図４は、同ユニットの配置斜視図、図５は、同カルシウムイオン添加手段５５の添加部の内部構成の概略を示す断面図である。
【００１７】
本考案の水飲み装置は、図１ないし図３に示すように、配管を介して接続されている原水タンク２０と、ポンプ３０と、プレフィルタ部４０及びポストフィルタ部５２を有しているフィルタ手段と、プレ添加部５５１及びポスト添加部５５２を有しているカルシウムイオン添加手段５５と、合流手段５４と、浄水タンク６０と、注出手段７０とを集めて機台１０内に取付けている。
【００１８】
機台１０は、例えば地面に安定して直立するように構成されている枠体であり、複数の隔壁１１によって複数の仕切り１２が設けられており、複数の仕切り１２のそれぞれに原水タンク２０、ポンプ３０、溜めタンク６０、注出手段７０などが適宜配置されている。
【００１９】
原水タンク２０は、この例では前記機台１０の下の仕切り１２内に設けられ、原水を溜める中空収容体の上部に原水の入口２１が設けられている。
【００２０】
ポンプ３０は、原水タンク２０及びフィルタ手段におけるプレフィルタ部４０の間に設けられており、タンク２０の原水をプレフィルタ部４０へ汲み入れることができる。
【００２１】
フィルタ手段におけるプレフィルタ部４０は、機台１０の真ん中の仕切り１２に設けられており、３つの直筒状フィルタ部４１、４２、４３からなり、ポンプされてくる原水中の砂、汚れなどの固形物をろ過する作用を有し、３つの直筒状をした第１のフィルタ素子４１と第２のフィルタ素子４２と第３のフィルタ素子４３とを並列してなる。
【００２２】
この例においては、第１のフィルタ素子４１は、粗めの雑質を除去するように構成されている部材、例えば台湾彰溢社製のＰＸＶ０５１０−Ａフィルタ芯材又はＣＸＶＣＴＯ１０−Ｃ−ＵＤといった繊維材質のろ過材が用いられる。第２のフィルタ素子４２は主として人体に有害である化学物質を除去するために米国ＫＤＦ社製のＫＤＦフィルタ部材が用いられ、水中の微生物及び、塩素、鉛、銀、ニッケル、クロム等の金属イオンや化合物をろ過することができる。第３のフィルタ素子４３としては、微細な雑質を吸着して除去するための活性炭が充填されている。
【００２３】
フィルタ手段におけるポストフィルタ部５２は、配管５７、５８により第３のフィルタ素子４３の出口側に接続されている第４のフィルタ素子５２１と、第４のフィルタ素子５２１の出口側に接続されており第５のフィルタ素子５２２とを備える。第４のフィルタ素子５２１は、プレフィルタ部４０によってろ過された水を活性化させる作用を有し、その内部に図示しないがスポンジが積層されてなり、さらに粗めの砂、汚れを除去することができる。第５のフィルタ素子５２２は、図示しないがその内部に活性炭と遠赤外線セラミックスとが積層されてなり、臭みを除去する機能を果している。
【００２４】
カルシウムイオン添加手段５５は、この例においては、それぞれが直筒状をしたプレ添加部５５１とポスト添加部５５２とを備えており、開閉により水の連通／遮断を制御するように構成されている制御弁５６２を介して、ポストフィルタ部５２の第５のフィルタ素子５２２と合流手段５４との間に、第５のフィルタ素子５２２の出口側配管５６の第１の下流部分５６１及び該第１の下流部分５６１よりも下流である第２の下流部分５６４の間に並列に接続されている。制御弁６３を開けると、第５のフィルタ素子５２２から流れてきた水が合流手段５４へ流れると共に、カルシウムイオン添加手段５５へも流れる。
【００２５】
カルシウムイオンの添加部５５１としては、図５に示されているように、直筒状をした筒体５５３内には例えば炭酸カルシウムを主体として焼結された冷間セラミック粒子からなる粒剤５５４が充填されており、粒剤の減り加減が確認できるのぞき窓５５５が設けられている。添加部５５２の構成も添加部５５１と同様であるので詳しい説明を省く。制御弁５６２を開けて第５のフィルタ素子５２２によりフィルタされた水がプレ添加部５５１及びポスト添加部５５２の順にそれぞれの内部に充填されている前記粒剤における炭酸カルシウムが水と溶解されるとき、カルシウムイオンを水中に放出させることができる。
【００２６】
合流手段５４は、例えば直筒状をして配管５６の第２の下流部分５６４及びポスト添加部５５２の分岐点５６５よりも下流側に設けられ、第５のフィルタ素子５２２からの水及びポスト添加部５５２からの水を混ぜ合う構成とする。合流手段５４内には、図示しないが不規則形状を有している活性炭が充填されており、この活性炭の不規則形状により形成した不規則連通路が多数形成されている。
【００２７】
また、この例においては、図４に示されるように、フィルタ手段におけるポストフィルタ部５２のフィルタ素子５２１、５２２とカルシウムイオン添加手段５５の添加部５５１、５５２及び合流手段５４が一箇所に集まってＬ字形の枠板５１１と脱着自在のケース状カバー５１２より画成した空間５１３を有しているケース５１内に収納されている。
【００２８】
浄水タンク６０は、配管５９を介して合流手段５４の出口側に接続され、機台１０の下の仕切り１２内に設けられており、合流手段５４内に混ぜ合った浄水を一旦溜めることができる。
【００２９】
注出手段７０は、浄水タンク６０の出口側に設けられており、注出口が高くした丸みのある注出管７２と、該注出管７２につまみが設けられ、水を出すか出さないかを制御することができる。
【００３０】
制御弁５６２を開けると、ポストフィルタ部５２によってろ過されて合流手段５４へ流れる水が分かれてカルシウムイオン添加手段５５へ流れる。カルシウムイオン添加手段５５に流れている水がプレ添加部５５１及びポスト添加部５５２の順に流れて、添加部５５１及び５５２において、添加部５５１と５５２内の炭酸カルシウムが水と溶解され、カルシウムイオンを水に添加させることができる。
【００３１】
制御弁５６２を閉じると、ポストフィルタ部５２によってろ過された水がそのまま合流手段５４へ流れることができる。
【００３２】
このようにして、制御弁５６２の開閉により、フィルタ手段によってろ過された浄水またはフィルタ手段によってろ過され且つカルシウムイオンを添加した浄水が得られる。
【００３３】
また、制御弁５６２の開度に応じて浄水におけるカルシウムイオン含有量の増減加減を制御することができる。
【００３４】
また、カルシウムイオンの添加部５５１、５５２には粒剤５５４の使用加減をチェックするためののぞき窓５５５が設けられているので、粒剤５５４の収納量の具合を随時確認し粒剤５５４を補給することができる。
【産業上の利用可能性】
【００３５】
本考案の浄水機構及び水飲み装置により、原水をプレフィルタ部４０にて粗めの雑質をろ過し、ポストフィルタ部５２により微細な雑質を除去すると共に水分子を活性化して水のｐＨ値をほどよく調整した浄水をおいしい飲み水として得られる。また、カルシウムイオン添加手段では制御弁５６２によりカルシウムイオンの添加加減を制御することができる。また、浄水タンクによって浄水を溜めることができるので、飲用するとき、タンクからそのまま供給することができ、利便性を高めることができる。
【図面の簡単な説明】
【００３６】
【図１】本考案にかかる浄水機構を備えた水飲み装置の外観正面図である。
【図２】水飲み装置の原水から浄水への処理過程の概略を示すブロック図である。
【図３】浄水機構におけるユニット化されたポストフィルタ部５２とカルシウムイオン添加手段５５と合流手段５４の配置の概略を示す図である。
【図４】ユニットの配置斜視図である。
【図５】カルシウムイオン添加手段５５の添加部の内部構成の概略を示す断面図である。
【符号の説明】
【００３７】
１０    機台
１１    隔壁
１２    仕切り
２０    原水タンク
２１    入口
３０    ポンプ
４０    プレフィルタ部
４１〜４３、５２１、５２２  フィルタ素子
５１    ケース
５１１  枠板
５１２  カバー
５１３  空間
５２    ポストフィルタ部
５４    合流手段
５６〜５９  配管
５５    カルシウムイオン添加手段
５５１  プレ添加部
５５２  ポスト添加部
５５３  筒体
５５４  粒剤
５５５  のぞき窓
５６１、５６４  下流部分
５６２  制御弁
５６５  分岐点
６０    浄水タンク
７０    注出手段
７１    つまみ
７２    注出管
【図１】
0003123184.tif 000003
【図２】
0003123184.tif 000004
【図３】
0003123184.tif 000005
【図４】
0003123184.tif 000006
【図５】
0003123184.tif 000007